(57)【要約】【課題】雑誌、備忘録、手帳、契約書、会員証書等の種々の冊子の表紙が差し込み易く、カードが収納可能な冊子カバーを提供する。【解決手段】カードの差し込み可能な冊子カバーであって、樹脂製からなるカバー本体１０ａの両端縁部に冊子の表裏表紙が差し込まれる表紙押さえ部１２，１３が設けられ、表紙押さえ部１２，１３の少なくとも一方が、カバー本体１０ａの上側端縁部と天縁部とに溶着した第１の表紙押さえ片と、カバー本体１０ａの下側端縁部と地縁部とに溶着した第２の表紙押さえ片とからなり、カバー本体１０ａと第２の表紙押さえ片との隙間をカードの差し込み部とする。【選択図】  図１
0003126263.tif 000002
【実用新案登録請求の範囲】
【請求項１】
カードの差し込み可能な冊子カバーであって、樹脂製からなるカバー本体の両端縁に冊子の表裏表紙がそれぞれ差し込まれる表紙押さえ部が設けられ、該表紙押さえ部の少なくとも一方が、該カバー本体の端縁の上側端縁部と天縁部とに溶着した第１の表紙押さえ片と、該端縁の下側端縁部と地縁部とに溶着した第２の表紙押さえ片とからなり、前記カバー本体と該第１又は第２の表紙押さえ片との隙間を前記カードの差し込み部とすることを特徴とする冊子カバー。
【請求項２】
前記第１と第２の表紙押さえ片が透明又は半透明樹脂、又は不透明樹脂からなり、冊子の地側の前記第２の表紙押さえ片が不透明樹脂の場合、該第２の表紙押さえ片にカード挿入口を設けたことを特徴とする請求項１に記載の冊子カバー。
【請求項３】
前記カード挿入口が長手開口部であり、該長手開口部が前記カバー本体の天又は地縁部に平行であるか、又は、該カバー本体の中央よりに傾斜していることを特徴とする請求項３に記載の冊子カバー。
【考案の詳細な説明】
【技術分野】
【０００１】
本考案は、雑誌、書籍或いは手帳等の冊子の表紙が差し込み易く、カードが収納可能な冊子カバーに関する。
【背景技術】
【０００２】
図７は従来の手帳カバー１を示しており、カバー本体１ａに手帳４の表紙４ａを差し込む袋部２が設けられ、一方の袋部２に切り抜き部３が設けられている。この切り抜き部３が設けられた袋部２には、定期などのカードＣが挿入して収納することができ、この切り抜き部３は、カードＣを指で押し出して取り出す際に利用することができる。（例えば、特許文献１参照）。
【０００３】
【特許文献１】特開２００５−０８８３８０号公報（明細書全文，図面全図）
【考案の開示】
【考案が解決しようとする課題】
【０００４】
従来の手帳カバーでは、袋部２がカードを収納可能とするためにカバー本体１ａの中央近傍まで設けられ、手帳の表紙が可撓性のある材質で製本されている場合には、袋部に表紙を差し込むのが容易であるが、例えば、表裏表紙と背表紙が硬質な厚表紙を使用して製本されている場合、表裏表紙を同時に袋部に差し込まねばならない。具体的には表裏表紙を逆矢状（おちょこ状）にして差し込まねばならないが、それでも袋部に差し込めない場合があり、若しくは差し込んだとしても製本を損傷することがあった。手帳等の冊子では、製本形態によって手帳カバーを使用することができないことがあった。手帳カバーは、書籍等の冊子にも使用可能であり、以下、冊子カバーと称することにする。
【０００５】
これは、冊子カバーの袋部にカードを挿入して持ち歩いた際、カードが簡単に抜け落ちることなく、安心して使用することができるように、袋部の幅をカードが収納可能な幅とし、かつ袋部の挿入口からカバー本体の中央までの寸法がカードの幅を超えないようにする必要があり、その結果、上記のようなカードを確実に収納可能な冊子カバーとすると、袋部の幅広としなければならず、冊子の収納が難しくなる傾向にある。なお、周知のようにカードには、種々のものがあり、例えば、個人情報が漏洩する可能性のある高度にキャッシュカード等のセキュリティが要求されるものから、名刺、診察券、会員証、ポイントカード等の種々のものがある。
【０００６】
本考案は、上記のような課題に鑑みなされたものであって、雑誌、備忘録、手帳、契約書、会員証書等の種々の冊子の表紙が差し込み易く、カードが収納可能な冊子カバーを提供することを目的とする。
【課題を解決するための手段】
【０００７】
本考案は、上記課題を達成したものであって、請求項１の考案は、カードの差し込み可能な冊子カバーであって、樹脂製からなるカバー本体の両端縁に冊子の表裏表紙がそれぞれ差し込まれる表紙押さえ部が設けられ、該表紙押さえ部の少なくとも一方が、該カバー本体の端縁の上側端縁部と天縁部とに溶着した第１の表紙押さえ片と、該端縁の下側端縁部と地縁部とに溶着した第２の表紙押さえ片とからなり、前記カバー本体と該第１又は第２の表紙押さえ片との隙間を前記カードの差し込み部とすることを特徴とする冊子カバーである。
【０００８】
また、請求項２の考案は、前記第１と第２の表紙押さえ片が透明又は半透明樹脂、又は不透明樹脂からなり、冊子の地側の前記第２の表紙押さえ片が不透明樹脂の場合、該第２の表紙押さえ片にカード挿入口を設けたことを特徴とする請求項１に記載の冊子カバーである。
【０００９】
また、請求項４の考案は、前記カード挿入口が長手開口部であり、該長手開口部が前記カバー本体の天又は地縁部に平行であるか、又は、該カバー本体の中央よりに傾斜していることを特徴とする請求項１又は２に記載の冊子カバーである。
【考案の効果】
【００１０】
請求項１の考案では、カードの差し込み可能な冊子カバーであって、樹脂製からなるカバー本体の両端縁に冊子の表裏表紙がそれぞれ差し込まれる表紙押さえ部が設けられ、該表紙押さえ部の少なくとも一方が、該カバー本体の端縁の上側端縁部と天縁部とに溶着した第１の表紙押さえ片と、該端縁の下側端縁部と地縁部とに溶着した第２の表紙押さえ片とからなり、前記カバー本体と該第１又は第２の表紙押さえ片との隙間を前記カードの差し込み部とすることを特徴とする冊子カバーであるので、冊子の表紙を表紙押さえ部に収納する際に、例えば、一方の表紙は袋状部に差し込み、他方の表紙は第１と第２の表紙押さえ片を開いて差し込むことができ、冊子を収納し易い利点がある。また、第１又は第２の表紙押さえ片とカバー本体との隙間に挟持されて収納することができ、同時に冊子の表紙が差し込まれており、カードは差し込み易く、取り出しも容易であり、また、カードは表紙、カバー本体、第１又は第２の表紙押さえ片で強く挟持され、簡単に抜け落ちることがない利点がある。無論、本考案の冊子カバーは、カバー本体の両端を第１又は第２の表紙押さえ片による表紙押さえ部としてもよい。
【００１１】
また、請求項２の考案では、前記第１と第２の表紙押さえ片が透明又は半透明樹脂、又は不透明樹脂からなり、冊子の地側の前記第２の表紙押さえ片が不透明樹脂の場合、該第２の表紙押さえ片にカード挿入口を設けたことを特徴とする請求項１に記載の冊子カバーであるので、第１と第２の表紙押さえ片が透明又は半透明樹脂の場合、差し込まれたカードは第１と第２の表紙押さえ片側から容易に確認することが可能である利点がある。また、第２の表紙押さえ片が不透明樹脂の場合、第２の表紙押さえ片に設けたカード挿入口からカードをカバー本体と第２の表紙押さえ片との間に差し込むことができ、カードの一部はカード挿入口から露呈し、カードの確認が容易であり、また、カードは表紙、カバー本体、第２の表紙押さえ片で強く挟持され、簡単に抜け落ちることがない利点がある。
【００１２】
また、請求項３の考案では、前記カード挿入口が長手開口部であり、該長手開口部が前記カバー本体の天又は地縁部に平行であるか、又は、該カバー本体の中央よりに傾斜していることを特徴とする請求項１又は２に記載の冊子カバーであるので、カードの一部はカード挿入口から露呈し、長手開口部が傾斜していれば、カードの露出面が多くなり、確認が容易であり、また、カードは、その挿入部が表紙、カバー本体、第２の表紙押さえ片で強く挟持され、簡単に抜け落ちることがない利点がある。
【考案を実施するための最良の形態】
【００１３】
以下、本考案に係る冊子カバーの実施の形態について、図面を参照して説明する。先ず、図面について簡単に説明すると、図１は本考案に係る冊子カバーの一実施形態を示し、図２〜図４は他の実施形態である。図５，図６はカードの使用形態を示している。
【００１４】
図１は、考案の一実施形態の冊子カバーを示し、縦長の新書版サイズの冊子を収納する冊子カバー１０であり、樹脂製からなるカバー本体１０ａの両端縁部に冊子の表裏表紙が差し込まれる表紙押さえ部１２，１３が設けられている。表紙押さえ部１２は袋状部であって、カバー本体１０ａの一方の端縁部に樹脂シートを溶着したものであり、１１ｅはその溶着部である。表紙押さえ部１３は第１と第２の表紙押さえ片１４，１５からなる。第１の表紙押さえ片１４は、カバー本体１０ａの裏面の天縁部１０１  と上側端縁部１０３  とに溶着され、１１ａ，１１ｂがその溶着部である。また、第１の表紙押さえ片１４が溶着された側のカバー本体１０ａの地縁部１０２  と下側端縁部１０４  に第２の表紙押さえ片１５が溶着されており、１１ｃ，１１ｄがその溶着部である。上側端縁部１０３  は、カバー本体１０ａの端縁部の上側に対応し、下側端縁部１０４  はカバー本体１０ａの端縁部の下側に対応する。冊子カバー１０の中央は、カバー本体１０ａの表面に冊子の背に対応する部分であり、この部分に溶着溝１１ｆが形成され、裏面に溝跡が形成されている。冊子の表紙の一方は袋状部である表紙押さえ部１２に差し込まれ、冊子の他方の表紙は第１と第２の表紙押さえ片１４，１５に差し込まれる。表紙押さえ部１３は、第１の表紙押さえ片１４を斜め上方（冊子の天方向）に開き、第２の表紙押さえ片１５は斜め下方（冊子の地方向）に開いて、冊子の表紙を差し込むことが可能である。
【００１５】
また、上記実施形態におけるカードの収納は、図５に示したように、第２の表紙押さえ片１５とカバー本体１０ａとの隙間にカードＣが差し込み可能な差し込み部（収納部）が形成されており、第２の表紙押さえ片１５によるカードＣの収納部は、第２の表紙押さえ片１５とカバー本体１０ａとが溶着により形成され、さらに、冊子を収納した状態では、第２の表紙押さえ片１５に冊子の表紙が差し込まれており、カードＣは、第２の表紙押さえ片１５とカバー本体１０ａと表紙とで、カードＣの表裏側から押圧して挟み込むように収納されるので、カードＣは簡単に抜け落ちることがない。また、第１と第２の表紙押さえ片１４，１５は、透明又は半透明樹脂製であり、第２の表紙押さえ片１５による収納部にカードＣを差し込んでも外側からカードＣを確認することができる。
【００１６】
図２は、本考案の他の実施形態の冊子カバー１０を示し、この実施形態ではカバー本体１０ａの両端縁の表紙押さえ部１２，１３が形成されている。この実施形態における表紙押さえ部１２は上記実施形態の袋状部とは異なり、第１と第２の表紙押さえ片１６，１７から形成されている。表紙押さえ部１２の第１と第２の表紙押さえ片１６，１７は上記表紙押さえ部１３と同様であるので説明を省略する。本実施形態は、カバー本体の両端縁が、表紙押さえ片で形成され、冊子の表紙の差し込みが容易である。また、第１と第２の表紙押さえ片１４，１５及び１６，１７は、透明又は半透明樹脂製であり、第２の表紙押さえ片１５，１７の何れの側にもカードを収納することができるし、カードを外側から確認することができる。
【００１７】
図３は、本考案の他の実施形態の冊子カバー１０を示し、図２の実施形態とは、第２の表紙押さえ片１５に長手開口部によるカード挿入口１８が形成されている点が相違するが他の形状が同一である。カード挿入口１８は、カバー本体１０ａの天又は地縁部に平行であり、カードを縦長方向に差し込んだ場合、カードの半分以上が差し込まれる位置にカード挿入口１８が形成される。図６に使用状態を示したように、第２の表紙押さえ片１５が不透明樹脂シートである場合でも、カード挿入口１８からカードの上部が露出し、カードの確認し易いし、カード挿入口１８に挿入されて第２の表紙押さえ片１５内に差し込まれたカードＣは、第２の表紙押さえ片１５と冊子の表紙とカバー本体１０ａとで押圧されて挟持され、簡単に抜け落ちることがない利点がある。
【００１８】
図４は、本考案の他の実施形態の冊子カバー１０を示し、図３の実施形態とは、カード挿入口１８がカバー本体１０ａの中央よりに傾斜している点が相違しているが、他の構成は、図３の実施形態と同様である。カード挿入口１８を傾斜させることによって、カードの表面をより露出することにより、取り出しも差し込みも容易であり、また、カードの露出面積が増し、カードの種類がより明確になる利点がある。
【００１９】
なお、上記実施形態では、縦長の新書版サイズの冊子を対称とした冊子カバーについて説明した。冊子が新書版サイズであって、表紙が硬質で表紙が開き難い場合、冊子カバーの両方が袋状部であると、表紙をおちょこ状に開いて冊子カバーに差し込む必要があり、冊子カバーが使用できなかったり、冊子の製本に損傷を与える等のおそれがあり、本考案の冊子カバーは、このようなサイズの冊子に特に有効であることは確かであるが、このサイズの冊子に限定するものではなく、冊子カバーの両方を袋状部とすると、冊子が収納し難く、冊子に損傷を与える可能性のある全ての冊子を収納する冊子カバーに適用することができる。
【産業上の利用可能性】
【００２０】
本考案の活用例としては、名刺、診察券、会員証、ポイントカード、定期等のカードを差し込み可能な冊子カバーとして使用することができ、冊子カバーとしては雑誌、備忘録、手帳、契約書、会員証書等の種々の冊子を収納するのに利用可能なものである。
【図面の簡単な説明】
【００２１】
【図１】本考案に係る冊子カバーの一実施形態を示す裏面側の平面図である。
【図２】本考案の他の実施形態を示す裏面側の平面図である。
【図３】本考案の他の実施形態を示す裏面側の平面図である。
【図４】本考案の他の実施形態を示す裏面側の平面図である。
【図５】図１の実施形態におけるカードの差し込み例を示す説明図である。
【図６】図２の実施形態におけるカードの差し込み例を示す説明図である。
【図７】従来の手帳カバーの斜視図である。
【符号の説明】
【００２２】
１０  冊子カバー
１０ａ  カバー本体
１０１    天縁部
１０２    地縁部
１０３    上側端縁部
１０４      下側端縁部
１１ａ〜１１ｅ  溶着部
１２，１３  表紙押さえ部
１４，１６  第１の表紙押さえ片
１５，１７  第２の表紙押さえ片
１８  カード挿入口
【図１】
0003126263.tif 000003
【図２】
0003126263.tif 000004
【図３】
0003126263.tif 000005
【図４】
0003126263.tif 000006
【図５】
0003126263.tif 000007
【図６】
0003126263.tif 000008
【図７】
0003126263.tif 000009